(57)【特許請求の範囲】
【請求項１】
そろばん球状のローラの回転中心に、取っ手と連結された支軸が挿入されており、該ローラの外面にムートンなどの面状刷毛材を被せて固定してなるローラ刷毛において、
前記のそろばん球状ローラの外周突端の部分が存在せず、一定直径ないし凹溝状に形成することによって、該一定直径部ないし凹溝状部に、前記の面状刷毛材の内面の縫い目を納めたことを特徴とする隅部塗装用のローラ刷毛。
【発明の詳細な説明】
【０００１】
【産業上の利用分野】
本発明は、ペンキを塗装する場合の刷毛、特に建造物などの隅部のように直角に引っ込んだ部分に塗装するのに適する隅部塗装用のローラ刷毛に関する。
【０００２】
【従来の技術】
直角に引っ込んだ部分に塗装するのに適したローラ刷毛が、実開昭６１−１８３１７８号公報に記載されており、またそろばん球状のローラの外面に、面状刷毛材を接着固定した構造が実開昭６２−１２３２８１号公報に記載されている。
【０００３】
図６は従来の隅部塗装用のローラ刷毛であり、そろばん球状のローラ１の左右両側の傾斜面１ａ、１ｂと同一形状の円弧状の面状刷毛材３ａ、３ｂを多数枚裁断しておき、ローラの左右両側の傾斜面１ａ、１ｂに接着固定した構造であるが、数回使用して面状刷毛材の刷毛面の柔軟性が低下すると、ローラ１ごと支軸８から外して、使い捨てする。
【０００４】
【発明が解決しようとする課題】
ところが、円弧状の面状刷毛材３ａ、３ｂを、ローラの左右両側の傾斜面１ａ、１ｂに接着固定する作業が面倒で、量産性に欠ける。
【０００５】
また、別の問題として、肝心なローラの最外周端５においては、図示のように毛が存在しない状態となり、塗料を十分に含ませることができない。その結果、確実に塗装することができず、塗装品質が低下する。
【０００６】
これに対し、面状刷毛材を裏返して、そろばん球状ローラの外周端の部分で縫い合わせて中空そろばん球状に形成した後、縫い目が内側に位置するように表裏反転させて貼りつける構造にすると、面状刷毛材を比較的容易にローラに接着固定でき、量産に適する。
【０００７】
また、このように、２枚の円弧状の面状刷毛材を、内面を外側にした状態で縫い合わせて中空そろばん球状にし、これを裏返して刷毛面を外側にしてローラ１に被せた構造にすると、縫い合わせ目において毛が十分存在するため、塗料を十分に含ませることができ、確実に塗装できる。
【０００８】
ところが、面状刷毛材の縫い目の部分が、そろばん球状ローラの最も尖った、尾根状の最外周端５に位置するため、安定性が悪い。すなわち、縫い目の一部は尾根状部５の右側に位置し、他の一部は左側に位置したりするため、凹凸が発生する。あるいは、縫い目全体が尾根状部５に対し、左側または右側のみに片寄って位置した場合は、その部分のみが隆起した状態となる。
【０００９】
結局、面状刷毛材の表面が凸凹して、そろばん球状のローラ１の傾斜表面１ａ、１ｂと一致しないことになり、塗装作業がしづらかったり、塗装の仕上がり品質が低下するなどの問題が生じる。
【００１０】
本発明の技術的課題は、このような問題に着目し、量産性に適し、しかも面状刷毛材の縫い目の部分による凸凹が発生しないような構造のローラ刷毛を実現することにある。
【００１１】
【課題を解決するための手段】
本発明の技術的課題は次のような手段によって解決される。請求項１は、そろばん球状のローラの回転中心に、取っ手と連結された支軸が挿入されており、該ローラの外面にムートンなどの面状刷毛材を被せて固定してなるローラ刷毛において、前記のそろばん球状ローラの外周突端の部分が存在せず、一定直径ないし凹溝状に形成することによって、該一定直径部ないし凹溝状部に、前記の面状刷毛材の縫い目を納めた構造の隅部塗装用のローラ刷毛である。
【００１２】
このように、そろばん球状ローラの外周突端に凹溝を形成し、その中に面状刷毛材の縫い目を納めた構造になっているため、面状刷毛材が安定良くローラに固定され、しかも凸凹ができることはなく、その結果、高品質の塗装が可能となる。
【００１３】
また、ローラ外周の凹溝の中に、面状刷毛材の縫い目をはめ込んでいくことで、そろばん球状ローラと面状刷毛材との位置合わせを容易に行なうことができ、量産に適している。
【００１４】
【発明の実施の形態】
次に本発明による隅部塗装用のローラ刷毛の詳細と製造方法を説明する。図１は本発明による隅部塗装用のローラ刷毛の断面図である。１はそろばん球状のローラであり、その最外周端に凹溝２を形成してある。
【００１５】
このローラ１の外面に、ムートンなどからなる面状刷毛材３を被せて接着固定してある。この面状刷毛材３は、円弧状に裁断された２枚の面状刷毛材３ａ、３ｂを、裏面を外側にした状態で縫い合わせて中空そろばん球状に形成したものである。
【００１６】
この中空そろばん球状の面状刷毛材を、毛面が外側になるように反転させた状態で、ローラ１の外面に被せると、図１のように、縫い合わせ目４が全周にわたって凹溝２の中に納まった状態となる。したがって、縫い合わせ目４が、凹溝２の中に安定して収まり、その結果、凸凹が発生することもない。
【００１７】
図２はそろばん球状のローラ１の各種実施形態を示す図である。通常のそろばん球状のローラの最外周端部は、鎖線５で示すように、尖っている。本発明のローラの場合は、その角度θは９０度が適している。
【００１８】
本発明の場合は、この鎖線で示す尖った最外周端部５が無く、しかも凹溝状に窪ませてある。この凹溝２の断面形状は特に限定されないが、Ｕ字状でもよいし、Ｖ字状でもよい。また、図１のように、深くてもよく、（２）図のように、浅くてもよい。
【００１９】
さらに、（２）図において鎖線６で示すように、直線状にしてもよい。すなわち、鎖線６の部分では、径が一定になっている。このように、径が一定の形状でも、凹溝の場合よりは安定性が悪いが、従来のように尾根状に尖った形状５に比べると、効果的である。
【００２０】
（３）図は、径が一定の領域６の中央に、凹溝２を形成した実施形態である。
【００２１】
なお、（１）図に示すように、ローラ１の中心には、取っ手の支軸８を挿入するための軸孔７を開けてある。
【００２２】
図３は面状刷毛材で中空そろばん球状に形成する方法を例示する図である。まず、（１）図のように、図２のローラ１の左右の傾斜面１ａ、１ｂと同じ形状の円弧状の面状刷毛材３ａ、３ｂを形成する。なお、円弧状の面状刷毛材３ａと３ｂとは同じ形状なため、同一形状の円弧状面状刷毛材を２枚用意すれば足りる。
【００２３】
そろばん球状のローラ１の傾斜面１ａ、１ｂを展開すると、円弧状となるため、面状刷毛材３ａ、３ｂも円弧状となる。（２）図のように、この２枚の円弧状の面状刷毛材３ａ、３ｂを裏返しにして、毛面を内側にした状態で、外周部同士を縫い合わせて、（３）図のように一体化すると、多少膨らませた場合、中空そろばん球状になる。
【００２４】
この中空そろばん球状の面状刷毛材３を裏返して、毛側（表側）を外にした状態で、図２のそろばん球状のローラ１に被せると、図１のようになる。すなわち、縫い合わせ目４が全長に渡ってローラ１の凹溝２中に納まるように被せ、位置合わせする。そして、接着剤でローラ１の表面に固定すると、完成である。なお、接着剤は、ローラ１に予め塗布しておいてもよく、面状刷毛材３の内面に塗布しておいてもよい。
【００２５】
縫い方は、図３（３）のような串縫いでもよく、また図４のようなかがり縫いなどでもよいが、特に限定されない。
【００２６】
図５は完成状態の隅部塗装用のローラ刷毛の斜視図であり、図２（１）のようにローラ１の中心に開けた軸孔７に支軸８を挿入してある。この支軸８と取っ手９とは、Ｌ字状に一体化されているため、取っ手９を手に持って、ローラ１を回転させると、面状刷毛材３に塗料を含ませて、直角に引っ込んだ隅部に塗布することができる。しかも、図１のように、縫い合わせ目４には毛が集中しているため、塗料を十分に含ませることができ、確実に塗装できる。
【００２７】
ローラ１の材質は、木材がよいが、使い捨てなため、安価な廃材などを使用するのがよい。なお、合成樹脂製あるいは金属製などでもよい。また、面状刷毛材は、動物性の毛皮が適しているが、合成樹脂性の毛を植毛したものなどでもよく、材質は限定されない。
【００２８】
【発明の効果】
請求項１によると、そろばん球状ローラの外周突端に凹溝を形成し、その中に面状刷毛材の縫い目を納めた構造になっているため、面状刷毛材が安定良くローラに固定され、しかも凸凹ができることはなく、その結果、高品質の塗装が可能となる。
【００２９】
また、ローラ外周の凹溝の中に、面状刷毛材の縫い目をはめ込んでいくことで、そろばん球状ローラと面状刷毛材との位置合わせが容易になり、量産に適している。
【図面の簡単な説明】
【図１】  本発明による隅部塗装用のローラ刷毛であり、面状刷毛材の部分は断面図で、またローラ部は側面図で示してある。
【図２】  そろばん球状のローラの各種実施形態を示す側面図である。
【図３】  面状刷毛材で中空そろばん球状に形成する方法を例示する図であり、（１）は円弧状の面状刷毛材、（２）は２枚の円弧状の面状刷毛材を縫い合わせている状態、（３）は縫い合わせ完了した状態である。
【図４】  縫い合わせ目の別の実施形態を示す側面図である。
【図５】  完成状態の隅部塗装用のローラ刷毛の全容を示す斜視図である。
【図６】  従来の隅部塗装用のローラ刷毛の断面図である。
【符号の説明】
１  そろばん球状のローラ
２  凹溝
３  面状刷毛材
３ａ、３ｂ  円弧状の面状刷毛材
４  縫い合わせ目
５  尖った最外周端部
６  直線状部
７  軸孔
８  支軸
９  取っ手
【図１】
0004342042.tif 000002
【図２】
0004342042.tif 000003
【図３】
0004342042.tif 000004
【図４】
0004342042.tif 000005
【図５】
0004342042.tif 000006
【図６】
0004342042.tif 000007